(57)【要約】【課題】  菓子等の商品を収容し、箱の上側を開放して内部の商品を顧客がそのまま取り出せるようにした商品展示用の箱等を複数個積み重ねるために使用するボックスジョイントを提供する。【解決手段】  垂直状態で使用する支持基板２上に受け板３を取り付けると共に、支持基板２上に、支持基板２との間に箱の側板Ｂ１，Ｂ２，Ｂ３を挟むスペースＳを有して挟持板４を取り付けてなり、下段の箱Ｂ１の上端部に上記スペースＳを差し込んで固定し、上記受け板３に上段の箱Ｂ３を載置して段ボール箱を積み重ねる。【選択図】図３
2006315720.tif 000002
【特許請求の範囲】
【請求項１】
垂直状態で使用する支持基板上に受け板を取り付けると共に、支持基板上に、支持基板との間に箱の側板を挟むスペースを有して挟持板を取り付けてなり、
下段の箱の上端部に上記スペースを差し込んでボックスジョイントを箱に固定し、上記受け板に上段の箱を載置して箱を積み重ねるボックスジョイント。
【請求項２】
垂直状態で使用する長方形の支持基板の表面に所定の長さの受け板を直角に張り出して取り付け、この受け板の下部の支持基板上に挟持板を取り付け、この挟持板と支持基板との間に箱の側板を挟むスペースを設けてなり、
下段の箱の上端部に上記スペースを差し込んでボックスジョイントを箱に固定し、上記受け板に上段の箱を載置して箱を積み重ねるボックスジョイント。
【請求項３】
上記支持基板の下部の幅を小さくして挿入部を構成する一方、支持基板の受け板側と反対側の表面の上部に、上記挿入部を挿入できる支持枠を設けてなり、
上記支持枠に他のボックスジョイントの挿入部を差し込んでボックスジョイントを重ね、あるいは陳列器のフック部材に差し込んでボックスジョイントを陳列器に掛け止めることを特徴とする請求項１または請求項２記載のボックスジョイント。
【発明の詳細な説明】
【技術分野】
【０００１】
本発明は、段ボール箱等の各種の箱を積み重ねるためのボックスジョイントに関し、詳細には、菓子等の商品を収容し箱の上側を開放して内部の商品を顧客がそのまま取り出せるようにした商品展示用の箱等を複数個積み重ねるために使用するボックスジョイントに関するものである。
【背景技術】
【０００２】
ガムやチョコレートなどの菓子類は、売り場の棚にそのまま並べて陳列していることが多い。しかし、陳列棚の限られたスペースではあまり多くの商品を置くことができない。
そのため、店頭で段ボール箱等の箱を積み重ねて陳列し、その上側をカットして内部の商品を顧客が直接取り出せるようにした、いわゆるボールカット陳列が行なわれている。    これによって限られたスペースを有効に利用して、従来よりも大量の商品を陳列することができるのである。
【０００３】
上記のような従来の積み重ね方式では、箱を単に積み重ねて陳列するものであったため、箱が安定せず、位置がずれてきたり、箱が崩れたりした。また内部の商品が上部の箱の重量でいたむこともあった。
【０００４】
そのために、箱を安定して積み重ねる必要があったが、従来では箱そのものを積み重ね可能な構造としていた。
【特許文献１】登録実用新案第３０４０４３０号
【０００５】
上記特許文献１に記載された積み重ね用段ボール箱は、組み立てた状態において蓋側の四隅に直角状の係合突片を突出できるように、蓋側部への切り込みを施して夫々胴側部の上隅部に係合突片を突設し、底側の四隅に該係合突片を挿着できる直角状の係合孔を欠設できるように、胴側部の下隅部に係合孔を切欠して成るものである。
【発明の開示】
【発明が解決しようとする課題】
【０００６】
上記特許文献１記載の積み重ね用段ボール箱は、係合突片が段ボール箱本体と一体化しているため係合突片が壊れた場合には取替えができず段ボール箱全体を取り替える必要があった。
また、上記段ボール箱は通常の段ボール箱とは別に、積み重ね専用の段ボール箱として特別に製作するものであり、構成も複雑であるため製造コストが高くつくという問題点があった。
【０００７】
本発明は上記の点に鑑みなされたものであり、箱の形状にとらわれることなく、あらゆる形状及び材質の箱を安定した状態で積み重ねることができ、箱が空になった後は他の箱に使用でき、さらには陳列器にも掛け止めることができる、安全で低価格なボックスジョイントを提供するものである。
【課題を解決するための手段】
【０００８】
本発明の要旨とするところは、垂直状態で使用する支持基板上に受け板を取り付けると共に、支持基板上に、支持基板との間に箱の側板を挟むスペースを有して挟持板を取り付けてなり、下段の箱の上端部に上記スペースを差し込んでボックスジョイントを箱に固定し、上記受け板に上段の箱を載置して箱を積み重ねることにある。
【０００９】
また本発明の要旨とするところは、垂直状態で使用する長方形の支持基板の表面に所定の長さの受け板を直角に張り出して取り付け、この受け板の下部の支持基板上に挟持板を取り付け、この挟持板と支持基板との間に箱の側板を挟むスペースを設けてなり、下段の箱の上端部に上記スペースを差し込んでボックスジョイントを箱に固定し、上記受け板に上段の箱を載置して箱を積み重ねることにある。
【００１０】
また本発明の要旨とするところは、上記支持基板の下部の幅を小さくして挿入部を構成する一方、支持基板の受け板側と反対側の表面、すなわち背面の上部に、上記挿入部を挿入できる支持枠を設けてなり、上記支持枠に他のボックスジョイントの挿入部を差し込んでボックスジョイントを重ね、あるいは陳列器のフック部材に差し込んでボックスジョイントを陳列器に掛け止めることにある。
【発明の効果】
【００１１】
本発明は上記の如き構成であるため、箱を積み重ねて連結することで、低コストで陳列量を増加させ省スペースで店頭売上の増加が可能となる。
また、箱の形状にとらわれることなく、あらゆる形状の箱を安定した状態で積み重ねることができ、陳列中に箱の位置がずれたり、箱が崩れたりすることはなく、下段の商品に重量がかからないため商品が傷むおそれもない。
さらには、箱に着脱自在に取り付けるため、積み重ねる箱の重量や大きさによって、ボックスジョイントの大きさや個数を選択できる上に、使用後は他の箱に使用できる。
【００１２】
また、上記支持基板の下部の幅を小さくすることによって、支持基板の下部に挿入部を構成し、支持基板の背面の上部に、上記挿入部を挿入できる支持枠を設けるようにした場合には、少なくとも２個のボックスジョイントを１組として、上側のボックスジョイントの挿入部を、下側のボックスジョイントの支持枠内に差し込んで連結することができる。
これにより、下段の箱と上段の箱との間の中間の箱を、陳列棚の前方から水平に出し入れすることが可能となる。
【００１３】
また、このボックスジョイントを単体で用い、脚部とその上に立設した複数の支柱によって構成される組立式の陳列器に利用することができる。すなわち陳列器の支柱の適宜間隔に設けたフック部材に支持枠を挿入してボックスジョイントを掛け止めることにより、支柱を介して箱を積み重ねることができるのである。
【発明を実施するための最良の形態】
【００１４】
本発明を実施するための最良の形態は、垂直状態で使用する長方形の支持基板の一方の表面（前面）に所定の長さの受け板を直角に張り出して取り付け、この受け板より下部の支持基板上に挟持板を取り付け、この挟持板と支持基板との間に箱の側板を挟むスペースを有するようにしたものである。
【００１５】
以下、本発明の第１実施形態を図に基づいて説明する。
図１は第１実施形態の正面斜視図、図２は同変形例の正面斜視図、図３は使用状態を示す説明図である。
【００１６】
本実施形態のボックスジョイント１は、上部を開放して、収容した商品Ａを顧客が直接取り出すことができるようにした商品展示用の段ボール箱Ｂを複数積み重ねるために使用するものである。
本実施形態では、箱として段ボール箱を使用して説明するが、これに限らず、木製、プラスチック製、紙製あるいは金属製等あらゆる材質の箱を使用することができ、箱の形状も任意に選択できるものとする。
【００１７】
また、上記ボックスジョイント１は、垂直に立てて使用する長方形の支持基板２に、その一方の面すなわち前面の高さ方向の略中央部に、支持基板２と同じ幅で、所定の長さを有する受け板３を直角に張り出している。
上記受け板３の下部に縦断面Ｌ字形の挟持板４を設ける。この挟持板４は支持基板２との間に、段ボール箱Ｂの紙の厚さに相当する所定のスペースＳを有して取り付けられていて、下端には差込口を有するクリップ部５を形成してなるものである。
【００１８】
上記挟持板４の取り付け位置は、上記のように支持基板２の前面の高さ方向の略中央部に限定されない。すなわち支持基板２の背面、すなわち受け板３を取り付けた面と反対側の表面に取り付けることもできる。そして、この場合は挟持板３は支持基板２の略中央部より上方に取り付けることもできるのである。
また、本実施形態では、受け板３は支持基板２に対して直角に取り付けているが、取り付け角度は直角に限定されない。
【００１９】
このボックスジョイント１は、図１に示すように、受け板３と挟持板４とを支持基板２とは別体に作成し、これらを溶接、接着して一体化するようにしてもよい。また図２に示したように全体を合成樹脂等で一体成型したものでもよい。
ボックスジョイント１の材質は、鉄板、合成樹脂、再生紙等、任意に選択でき、また大きさ等も任意に決定できるものとする。
【００２０】
次に、本実施形態の作用について説明する。
図３に示すように、段ボール箱を積み重ねるときには、まず下段の段ボール箱Ｂ１の左右の側板Ｂ１１，Ｂ１１と背面の側板Ｂ１２の開放された上縁のそれぞれにボックスジョイント１，１，１，１を立てる。これは支持基板２を上から押し下げ、クリップ部５のスペースＳに段ボール箱Ｂ１の上縁をしっかりと差し込むことによって行う。これによりボックスジョイント１はぐらつくことなく、確実に段ボール箱Ｂ１の上縁に固定される。
【００２１】
その後、中段の段ボール箱Ｂ２を、下段の段ボール箱Ｂ１の三方に固定されているボックスジョイント１で囲まれた空間に上から配置し、あるいは前方から水平に入れ、それぞれの受け板３で受け止めさせる。
同様にして上段の段ボール箱Ｂ３を配置する。
【００２２】
これにより、段ボール箱に振動や衝撃が加わった場合にも、各段ボール箱Ｂ１，Ｂ２，Ｂ３は強固に連結されているため、積み重ね位置がずれたり崩れたりしない。また、段ボール箱Ｂを上段から順次降ろすときは、前記と逆の手順で行なえばよい。
【００２３】
このように、本実施形態によれば、簡易な方法により、迅速かつ確実に複数の段ボール箱を安定した状態で積み重ねることができ、低コストで陳列量を増加させ、省スペースで店頭売上を増加させることができる。そして段ボール箱の積み重ねや積み降ろしの作業も簡単、迅速に行なうことができる。
また、通常、店頭売場の棚には１箱しか配置していないが、本実施形態のボックスジョイントを使用すれば、図３に示すように商品の３段陳列が可能となる。このようにすれば、上段の箱の商品が売り切れた場合には、その箱を取り除けば中段の箱の商品が表れるから、商品の補充の手間が省けるというメリットがある。
【００２４】
次に、本発明の第２実施形態を説明する。
図４は第２実施形態の正面斜視図、図５は同背面斜視図、図６及び図７は使用状態を示す説明図、図８は他の使用状態を示す説明図である。
【００２５】
本実施形態のボックスジョイント６の基本的な構成は前記第１実施形態のボックスジョイント１と同様であるため、同一部分の説明は省略する。
【００２６】
本実施形態において、支持基板７の下部の幅を小さくして細幅の挿入部７ａを構成する一方、支持基板７の受け板８を取り付けた前面と反対側の背面の上端近傍に支持枠１１を設けてなる。
上記挿入部７ａと支持枠１１は、ボックスジョイント６を２個以上重ねて使用するときに用いるものである。
【００２７】
上記支持枠１１は、上記支持基板７の挿入部７ａの幅及び厚さより若干大きな差込口１１ａを有するものであり、後述のように挿入部７ａを差し込むためのものである。
【００２８】
本実施形態の場合には、図６及び図７に示すように、２個のボックスジョイント６，６を一組として使用する。すなわち、上側のボックスジョイント６の支持基板７の挿入部７ａを、下側のボックスジョイント６の支持枠１１内に差し込んで連結し、この状態でグリップ部１０を下段の段ボール箱Ｂ１の上縁に差し込んで使用するものである。
【００２９】
このように支持基板７を連結することで、段ボール箱Ｂ１，Ｂ２，Ｂ３を重ねて一体化構造を強化することができる。小さなガム、チョコレート等の箱を連結して陳列することで、省スペースで陳列量を増加させることができる。
【００３０】
また、上側の支持基板７の受け板８と下側の支持基板７の受け板８の間にスペースができるため、上段の段ボール箱Ｂ３が配置されていても、下段の段ボール箱Ｂ１と上段の段ボール箱Ｂ３との間に段ボール箱Ｂ２を、陳列棚（図示せず）の前方から水平に出し入れすることができるのである。
【００３１】
また、本実施形態の他の使用方法は、図８に示すように単体で用いるものであり、脚部（図示せず）とその上に立設した複数の支柱Ｄによって構成される組立式の陳列器２０に利用することができる。
すなわち陳列器２０の支柱Ｄの長さ方向の適宜間隔にフック部材Ｅを設け、このフック部材Ｅにボックスジョイント６の支持枠１１を挿入してボックスジョイント６を掛け止めることにより、支柱Ｄを介して段ボール箱Ｂ１，Ｂ２，Ｂ３を積み重ねることができるのである。
この場合には、陳列器２０は全体的に強固であるから、前記第１実施形態よりも段ボール箱を多段に積み重ねることが可能となり、サイズ自在の陳列器となる。
【００３２】
本実施形態のボックスジョイント６の材質も、鉄板、合成樹脂、再生紙等、任意に選択でき、また大きさ等も任意に決定できるものとする。
【図面の簡単な説明】
【００３３】
【図１】本発明の第１実施形態の正面斜視図
【図２】本発明の第１実施形態の変形例の正面斜視図
【図３】本発明の第１実施形態の使用状態を示す説明図
【図４】本発明の第２実施形態の正面斜視図
【図５】本発明の第２実施形態の背面斜視図
【図６】本発明の第２実施形態の使用状態を示す説明図
【図７】本発明の第２実施形態の使用状態を示す説明図
【図８】本発明の第２実施形態の他の使用状態を示す説明図
【符号の説明】
【００３４】
１  ボックスジョイント
２  支持基板
３  受け板
４  挟持板
５  クリップ部
６  ボックスジョイント
７  支持基板
８  受け板
９  挟持板
１０  クリップ部
２０  陳列器
Ｂ１  段ボール箱
Ｂ２  段ボール箱
Ｂ３  段ボール箱
Ｂ１１  側板
Ｂ１２  側板
Ｅ  フック部材
【図１】
2006315720.tif 000003
【図２】
2006315720.tif 000004
【図３】
2006315720.tif 000005
【図４】
2006315720.tif 000006
【図５】
2006315720.tif 000007
【図６】
2006315720.tif 000008
【図７】
2006315720.tif 000009
【図８】
2006315720.tif 000010